(57)【要約】  個人の好みに応じて設備の設定を容易に変更することができる統合制御装置を提供する。統合制御装置は、管理領域の出入口に設けられた入退室管理用アンテナと、前記管理領域の内部に設けられた設備制御用アンテナと、前記入退室管理用アンテナにより受信した識別情報に基づいて当該識別情報に対応した識別体が管理領域の内部に存在するか否かを判定し、前記設備制御用アンテナが前記管理領域の内部に存在すると判定された識別体から識別情報と釦が押されたことを示す情報とが対応付けられた情報を受信した場合に識別情報と釦が押されたことを示す情報とに基づいて前記管理領域の内部に設けられた設備の設定を変更する制御部、を備えた。
2019239513.tif 000002
【特許請求の範囲】
【請求項１】
管理領域の出入口に設けられた入退室管理用アンテナが識別体から識別情報を受信した際に、当該識別情報に基づいて当該識別情報に対応した識別体が前記管理領域の内部に存在するか否かを判定し、前記管理領域の内部に設けられた設備制御用アンテナが前記管理領域の内部に存在すると判定された識別体から識別情報と釦が押されたことを示す情報とが対応付けられた情報を受信した場合に識別情報と釦が押されたことを示す情報とに基づいて前記管理領域の内部に設けられた設備の設定を変更する制御部、
を備えた統合制御装置。
【請求項２】
前記制御部は、前記設備制御用アンテナが前記管理領域の内部に存在すると判定された識別体から識別情報と釦が押されたことを示す情報とが対応付けられた情報を受信した場合に前記管理領域の内部に設けられた設備の設定を当該識別情報に対応付けられた最適設定に変更する請求項１に記載の統合制御装置。
【請求項３】
管理領域の出入口において前記管理領域の外側に設けられた入室管理用アンテナが識別体から識別情報を受信した場合に当該識別情報に対応した識別体が管理領域の内部に存在すると判定し、前記管理領域の出入口において前記管理領域の内側に設けられ退室管理用アンテナが識別体から識別情報を受信した場合に当該識別情報に対応した識別体が管理領域の内部に存在しないと判定し、前記管理領域の内部に設けられた設備制御用アンテナが前記管理領域の内部に存在すると判定された識別体から識別情報と釦が押されたことを示す情報とが対応付けられた情報を受信した場合に識別情報と釦が押されたことを示す情報とに基づいて前記管理領域の内部に設けられた設備の設定を変更する制御部、
を備えた統合制御装置。
【請求項４】
前記制御部は、前記設備制御用アンテナと前記退室管理用アンテナとが識別体から識別情報を受信している際は、前記設備制御用アンテナによる識別情報の受信強度が前記退室管理用アンテナによる識別情報の受信強度よりも強いときに前記設備の設定を変更する請求項３に記載の統合制御装置。
【請求項５】
前記制御部は、前記設備制御用アンテナが前記管理領域の内部に存在すると判定された識別体から識別情報と釦が押されたことを示す情報とが対応付けられた情報を受信した場合に前記管理領域の内部に設けられた設備の設定を当該識別情報に対応付けられた最適設定に変更する請求項３または請求項４に記載の統合制御装置。
【請求項６】
管理領域の出入口に設けられ、自らの受信領域の内部に存在する識別体の釦が押されていない場合に当該識別体から識別情報を受信し、自らの受信領域の内部に存在する識別体の釦が押された場合に当該識別体から識別情報と釦が押されたことを示す情報とが対応付けられた情報を受信する入退室管理用アンテナと、
前記管理領域の内部に設けられ、自らの受信領域の内部に存在する識別体の釦が押されていない場合に当該識別体から識別情報を受信し、自らの受信領域の内部に存在する識別体の釦が押された場合に当該識別体から識別情報と釦が押されたことを示す情報とが対応付けられた情報を受信する設備制御用アンテナと、
請求項１または請求項２に記載の統合制御装置と、
を備えた統合制御システム。
【請求項７】
管理領域の出入口において前記管理領域の外側に設けられ、自らの受信領域の内部に存在する識別体の釦が押されていない場合に当該識別体から識別情報を受信し、自らの受信領域の内部に存在する識別体の釦が押された場合に当該識別体から識別情報と釦が押されたことを示す情報とが対応付けられた情報を受信する入室管理用アンテナと、
前記管理領域の出入口において前記管理領域の内側に設けられ、自らの受信領域の内部に存在する識別体の釦が押されていない場合に当該識別体から識別情報を受信し、自らの受信領域の内部に存在する識別体の釦が押された場合に当該識別体から識別情報と釦が押されたことを示す情報とが対応付けられた情報を受信する退室管理用アンテナと、
前記管理領域の内部に設けられ、自らの受信領域の内部に存在する識別体の釦が押されていない場合に当該識別体から識別情報を受信し、自らの受信領域の内部に存在する識別体の釦が押された場合に当該識別体から識別情報と釦が押されたことを示す情報とが対応付けられた情報を受信する設備制御用アンテナと、
請求項３から請求項５のいずれか１項に記載の統合制御装置と、
を備えた統合制御システム。
【発明の詳細な説明】
【技術分野】
【０００１】
この発明は、統合制御装置および統合制御システムに関する。
【背景技術】
【０００２】
特許文献１は、設備制御システムを開示する。当該設備制御システムによれば、利用者の好みに応じて設備を制御し得る。
【先行技術文献】
【特許文献】
【０００３】
【特許文献１】日本特開２００６−３４２９７８号公報
【発明の概要】
【発明が解決しようとする課題】
【０００４】
しかしながら、個人の好みは、様々な要因により変化する。このため、特許文献１に記載の設備制御システムにおいては、状況に応じて、壁に設置されたリモコンを操作して設備の設定を変更する必要がある。【０００５】
この発明は、上述の課題を解決するためになされた。この発明の目的は、個人の好みに応じて設備の設定を容易に変更することができる統合制御装置および統合制御システムを提供することである。
【課題を解決するための手段】
【０００６】
この発明に係る統合制御装置は、管理領域の出入口に設けられた入退室管理用アンテナが識別体から識別情報を受信した際に、当該識別情報に基づいて当該識別情報に対応した識別体が前記管理領域の内部に存在するか否かを判定し、前記管理領域の内部に設けられた設備制御用アンテナが前記管理領域の内部に存在すると判定された識別体から識別情報と釦が押されたことを示す情報とが対応付けられた情報を受信した場合に識別情報と釦が押されたことを示す情報とに基づいて前記管理領域の内部に設けられた設備の設定を変更する制御部、を備えた。【０００７】
この発明に係る統合制御装置は、管理領域の出入口において前記管理領域の外側に設けられた入室管理用アンテナが識別体から識別情報を受信した場合に当該識別情報に対応した識別体が管理領域の内部に存在すると判定し、前記管理領域の出入口において前記管理領域の内側に設けられ退室管理用アンテナが識別体から識別情報を受信した場合に当該識別情報に対応した識別体が管理領域の内部に存在しないと判定し、前記管理領域の内部に設けられた設備制御用アンテナが前記管理領域の内部に存在すると判定された識別体から識別情報と釦が押されたことを示す情報とが対応付けられた情報を受信した場合に識別情報と押されたことを示す情報とに基づいて前記管理領域の内部に設けられた設備の設定を変更する制御部、を備えた。【０００８】
この発明に係る統合制御システムは、管理領域の出入口に設けられ、自らの受信領域の内部に存在する識別体の釦が押されていない場合に当該識別体から識別情報を受信し、自らの受信領域の内部に存在する識別体の釦が押された場合に当該識別体から識別情報と釦が押されたことを示す情報とが対応付けられた情報を受信する入退室管理用アンテナと、前記管理領域の内部に設けられ、自らの受信領域の内部に存在する識別体の釦が押されていない場合に当該識別体から識別情報を受信し、自らの受信領域の内部に存在する識別体の釦が押された場合に当該識別体から識別情報と釦が押されたことを示す情報とが対応付けられた情報を受信する設備制御用アンテナと、前記入退室管理用アンテナにより受信した識別情報に基づいて当該識別情報に対応した識別体が管理領域の内部に存在するか否かを判定し、前記設備制御用アンテナが前記管理領域の内部に存在すると判定された識別体から識別情報と釦が押されたことを示す情報とが対応付けられた情報を受信した場合に識別情報と釦が押されたことを示す情報とに基づいて前記管理領域の内部に設けられた設備の設定を変更する統合制御装置と、を備えた。【０００９】
この発明に係る統合制御システムは、管理領域の出入口において前記管理領域の外側に設けられ、自らの受信領域の内部に存在する識別体の釦が押されていない場合に当該識別体から識別情報を受信し、自らの受信領域の内部に存在する識別体の釦が押された場合に当該識別体から識別情報と釦が押されたことを示す情報とが対応付けられた情報を受信する入室管理用アンテナと、前記管理用域の出入口において前記管理領域の内側に設けられ、自らの受信領域の内部に存在する識別体の釦が押されていない場合に当該識別体から識別情報を受信し、自らの受信領域の内部に存在する識別体の釦が押された場合に当該識別体から識別情報と釦が押されたことを示す情報とが対応付けられた情報を受信する退室管理用アンテナと、前記管理領域の内部に設けられ、自らの受信領域の内部に存在する識別体の釦が押されていない場合に当該識別体から識別情報を受信し、自らの受信領域の内部に存在する識別体の釦が押された場合に当該識別体から識別情報と釦が押されたことを示す情報とが対応付けられた情報を受信する設備制御用アンテナと、前記入退室管理用アンテナが識別情報を受信した場合に当該識別情報に対応した識別体が管理領域１の内部に存在すると判定し、前記退出室管理用アンテナが識別情報を受信した場合に当該識別情報に対応した識別体が管理領域１の内部に存在しないと判定し、前記設備制御用アンテナが前記管理領域１の内部に存在すると判定された識別体から識別情報と釦が押されたことを示す情報とが対応付けられた情報を受信した場合に当該識別情報と押されたことを示す情報とに基づいて前記管理領域の内部に設けられた設備の設定を変更する統合制御装置と、を備えた。
【発明の効果】
【００１０】
これらの発明によれば、設備の設定は、設備制御用アンテナが管理領域の内部に存在すると判定された識別体から識別情報と釦が押されたことを示す情報とが対応付けられた情報を受信した場合に当該識別情報と押されたことを示す情報とに基づいて変更される。このため、個人の好みに応じて設備の設定を容易に変更することができる。
【図面の簡単な説明】
【００１１】
【図１ａ】実施の形態１における統合制御システムが適用される建築物の要部の構成図である。
【図１ｂ】実施の形態１における統合制御システムの構成図である。
【図２】実施の形態１における統合制御システムにおいて利用者が管理領域に入る際の統合制御装置の動作の第１例を説明するためのフローチャートである。
【図３】実施の形態１における統合制御システムにおいて利用者が管理領域に入る際の統合制御装置の動作の第２例を説明するためのフローチャートである。
【図４】実施の形態１における統合制御システムにおいて利用者が管理領域から出る際の統合制御装置の動作の例を説明するためのフローチャートである。
【図５】実施の形態１における統合制御システムの統合制御装置の要部のハードウェア構成図である。
【図６ａ】実施の形態２における統合制御システムが適用される建築物の要部の構成図である。
【図６ｂ】実施の形態２における統合制御システムの構成図である。
【図７】実施の形態２における統合制御システムにおいて利用者が管理領域の内部にいる際の統合制御装置の動作の例を説明するためのフローチャートである。
【発明を実施するための形態】
【００１２】
この発明を実施するための形態について添付の図面に従って説明する。なお、各図中、同一または相当する部分には同一の符号が付される。当該部分の重複説明は適宜に簡略化ないし省略する。
【００１３】
実施の形態１．
図１ａは実施の形態１における統合制御システムが適用される建築物の要部の構成図である。図１ｂは、実施の形態１における統合制御システムの構成図である。
【００１４】
図１ａにおいて、管理領域１は、統合制御システムに管理される領域である。扉２は、管理領域１の出入口に設けられる。扉２は、管理領域１の出入口を開閉し得るように設けられる。扉２は、図示されない電気錠等により施錠状態と解錠状態との間で状態を変化し得るように設けられる。
【００１５】
複数の空調装置３は、管理領域１の内部に設けられる。複数の空調装置３の各々は、管理領域１の内部の空調を調整し得るように設けられる。複数の照明装置４は、管理領域１の内部に設けられる。複数の照明装置４の各々は、管理領域１の内部の照度を調整し得るように設けられる。
【００１６】
入退室管理用アンテナ５は、管理領域１の出入口に設けられる。例えば、入退室管理用アンテナ５は、管理領域１の出入口において管理領域１の外側に設けられる。設備制御用アンテナ６は、管理領域１の内部に設けられる。例えば、設備制御用アンテナ６は、管理領域１の中央部の天井に設けられる。
【００１７】
図１ｂにおいて、空調制御装置７は、図１ａに図示されている複数の空調装置３に電気的に接続される。空調制御装置７は、制御部７ａを備える。制御部７ａは、複数の空調装置３を制御し得るように設けられる。照明制御装置８は、図１ａに図示されている複数の照明装置４に電気的に接続される。照明制御装置８は、制御部８ａを備える。制御部８ａは、複数の照明装置４を制御し得るように設けられる。
【００１８】
統合制御装置９は、入退室管理用アンテナ５と設備制御用アンテナ６と空調制御装置７と照明制御装置８とに電気的に接続される。統合制御装置９は、記憶部９ａと制御部９ｂとを備える。記憶部９ａは、各種情報を記憶し得るように設けられる。制御部９ｂは、空調制御装置７と照明制御装置８とを制御し得るように設けられる。なお、統合制御装置９は、管理領域１内で各利用者が使用しているパソコン（図示せず）と電気的に接続されており、各パソコンの起動時刻を含む使用履歴などの情報を収集する。
【００１９】
例えば、識別体１０は、ハンズフリータグである。識別体１０は、電池１０ａと少なくも１つの釦とを備える。例えば、識別体１０は、第１釦１０ｂと第２釦１０ｃとを備える。識別体１０は、識別体１０を所持している利用者に対応した識別情報を記憶する。識別体１０は、管理領域１の利用者に携帯される。なお、識別情報とは、その識別体１０を所持している利用者を特定するための情報であって、例えば、統合制御システムがオフィスビルに導入されている場合は、利用者の社員番号などである。あるいは、識別体１０の製造番号が利用者と紐付いて記憶部９ａに記憶されている場合は、識別体１０の製造番号を識別情報としてもよい。
【００２０】
利用者が入退室管理用アンテナ５の受信領域に入ると、入退室管理用アンテナ５は、利用者の識別体１０から識別情報に対応した電波を無線で受信する。利用者が第１釦１０ｂまたは第２釦１０ｃを押した場合、入退室管理用アンテナ５は、当該識別情報と第１釦１０ｂまたは第２釦１０ｃが押されたことを示す情報とを対応付けた情報に対応した電波を受信する。
【００２１】
統合制御装置９は、入退室管理用アンテナ５により受信された電波に対応した識別情報に基づいて管理領域１に対する利用者の入退室を管理し、その情報を記憶部９ａに記憶している。記憶部９ａに記憶されている情報は、例えば、各利用者の入室時刻、退室時刻、各利用者が使用しているパソコンの使用履歴、各利用者に紐付けられた空調装置３、照明装置４の使用履歴などである。記憶部９ａに記憶されている情報は、各利用者の識別情報と対応付けられている。例えば、ある利用者の入室時刻が記憶されているが退室時刻が記憶されていない場合、その利用者は管理領域１内に居ると統合制御装置９は判断する。
【００２２】
この際、統合制御装置９において、記憶部９ａは、当該識別情報と利用者の入退室の情報とを対応付けて記憶する。制御部９ｂは、当該識別情報に基づいて扉２の施錠および解錠を制御する。
【００２３】
管理領域１の内部において、利用者が設備制御用アンテナ６の受信領域に入ると、設備制御用アンテナ６は、利用者の識別体１０から識別情報に対応した電波を無線で受信する。利用者が第１釦１０ｂまたは第２釦１０ｃを押した場合、設備制御用アンテナ６は、当該識別情報と第１釦１０ｂまたは第２釦１０ｃが押されたことを示す情報とを対応付けた情報に対応した電波を受信する。
【００２４】
この際、統合制御装置９は、設備制御用アンテナ６により受信された電波に対応した識別情報を把握する。統合制御装置９は、当該識別情報に対応した利用者が管理領域１の内部に存在するか否かを判定する。利用者が管理領域１の内部に存在すると判定されている場合、統合制御装置９は、押された釦に応じて空調装置３または照明装置４の制御に関する情報を空調制御装置７または照明制御装置８に送信する。
【００２５】
空調制御装置７は、統合制御装置９から空調装置３の制御に関する情報を受信した場合に当該情報に基づいて複数の空調装置３を制御する。照明制御装置８は、統合制御装置９から照明装置４の制御に関する情報を受信した場合に当該情報に基づいて照明装置４を制御する。
【００２６】
なお、利用者が第１釦１０ｂまたは第２釦１０ｃを押せば、識別体１０がより強力な電波を送信する設定としてもよい。当該設定によれば、識別体１０の電池１０ａが消耗している場合、識別体１０により送信される電波が電池１０ａの消耗により弱くなった場合でも、入退室管理用アンテナ５は、当該電波を受信し得る。
【００２７】
また、利用者が第１釦１０ｂまたは第２釦１０ｃを押せないと、扉２の制御を行わない設定としてもよい。当該設定によれば、管理領域１の内部に進む予定のない利用者が扉２の付近を通り過ぎる際に扉２が解錠することを抑制し得る。
【００２８】
次に、図２を用いて、利用者が管理領域１に入る際の統合制御装置９の動作の第１例を説明する。
図２は実施の形態１における統合制御システムにおいて利用者が管理領域に入る際の統合制御装置の動作の第１例を説明するためのフローチャートである。
【００２９】
ステップＳ１では、識別体１０が管理領域１の外側において入退室管理用アンテナ５の受信領域に入ると、統合制御装置９は、当該識別体１０の認証を開始する。その後、統合制御装置９は、ステップＳ２の動作を行う。ステップＳ２では、統合制御装置９は、当該識別体１０が扉２の通行権限を有しているか否かを判定する。
【００３０】
ステップＳ２で当該識別体１０が扉２の通行権限を有していない場合、統合制御装置９は、ステップＳ３の動作を行う。ステップＳ３では、統合制御装置９は、当該識別体１０を認証しない。この場合、統合制御装置９は、扉２の施錠を維持する。その後、統合制御装置９は、動作を終了する。
【００３１】
ステップＳ２で当該識別体１０が扉２の通行権限を有している場合、統合制御装置９は、ステップＳ４の動作を行う。ステップＳ４では、統合制御装置９は、当該識別体１０を認証する。この場合、統合制御装置９は、扉２を解錠する。その後、統合制御装置９は、ステップＳ５の動作を行う。
【００３２】
ステップＳ５では、統合制御装置９は、当該識別体１０が管理領域１の内部に存在すると判定する。その後、統合制御装置９は、ステップＳ６の動作を行う。ステップＳ６では、統合制御装置９は、当該識別体１０の第１釦１０ｂが押されたか否かを判定する。
【００３３】
ステップＳ６で当該識別体１０の第１釦１０ｂが押された場合、識別体１０は識別情報と押されたことを示す情報を統合制御装置９に送信する。統合制御装置９は、ステップＳ７の動作を行う。ステップＳ７では、統合制御装置９は、温度を上げる指示を示す情報を空調制御装置７に送信する。この際、空調制御装置７は、当該情報に基づいて温度が上がるように空調装置３を制御する。その後、統合制御装置９は、動作を終了する。なお、押されたことを示す情報とは、第１釦１０ｂが押された場合は第１釦１０ｂを特定するための情報であって、第１釦１０ｂが押されたことを示す情報は設定温度を下げる指示と紐付けられている。
【００３４】
ステップＳ６で当該識別体１０の第１釦１０ｂが押されていない場合、統合制御装置９は、ステップＳ８の動作を行う。ステップＳ８では、統合制御装置９は、当該識別体１０の第２釦１０ｃが押されたか否かを判定する。
【００３５】
ステップＳ８で当該識別体１０の第２釦１０ｃが押されていない場合、統合制御装置９は、ステップＳ６の動作を行う。ステップＳ７で当該識別体１０の第２釦１０ｃが押された場合、識別体１０は識別情報と押されたことを示す情報を統合制御装置９に送信する。統合制御装置９は、ステップＳ９の動作を行う。なお、押されたことを示す情報とは、第２釦１０ｃが押された場合は第２釦１０ｃを特定するための情報であって、第２釦１０ｃが押されたことを示す情報は設定温度を下げる指示と紐付けられている。
【００３６】
ステップＳ９では、統合制御装置９は、温度を下げる指示を示す情報を空調制御装置７に送信する。この際、空調制御装置７は、当該情報に基づいて温度が上がるように空調装置３を制御する。その後、統合制御装置９は、動作を終了する。
【００３７】
次に、図３を用いて、利用者が管理領域１に入る際の統合制御装置９の動作の第２例を説明する。
図３は実施の形態１における統合制御システムにおいて利用者が管理領域に入る際の統合制御装置の動作の第２例を説明するためのフローチャートである。
【００３８】
ステップＳ１１では、識別体１０が管理領域１の外側において入退室管理用アンテナ５の受信領域に入ると、統合制御装置９は、当該識別体１０の認証を開始する。その後、統合制御装置９は、ステップＳ１２の動作を行う。ステップＳ１２では、統合制御装置９は、当該識別体１０が扉２の通行権限を有しているか否かを判定する。
【００３９】
ステップＳ１２で当該識別体１０が扉２の通行権限を有していない場合、統合制御装置９は、ステップＳ１３の動作を行う。ステップＳ１３では、統合制御装置９は、当該識別体１０を認証しない。この場合、統合制御装置９は、扉２の施錠を維持する。その後、統合制御装置９は、動作を終了する。
【００４０】
ステップＳ１２で当該識別体１０が扉２の通行権限を有している場合、統合制御装置９は、ステップＳ１４の動作を行う。ステップＳ１４では、統合制御装置９は、当該識別体１０を認証する。この場合、統合制御装置９は、扉２を解錠する。その後、統合制御装置９は、ステップＳ１５の動作を行う。
【００４１】
ステップＳ１５では、統合制御装置９は、当該識別体１０が管理領域１の内部に存在すると判定する。その後、統合制御装置９は、ステップＳ１６の動作を行う。ステップＳ１６では、統合制御装置９は、当該識別体１０の第１釦１０ｂが押されたか否かを判定する。
【００４２】
ステップＳ１６で当該識別体１０の第１釦１０ｂが押された場合、識別体１０は識別情報と押されたことを示す情報を統合制御装置９に送信する。統合制御装置９は、ステップＳ１７の動作を行う。ステップＳ１７では、統合制御装置９は、当該識別情報と現状の温度の情報と快適であることを示す情報とを対応付けて記憶する。その後、統合制御装置９は、動作を終了する。なお、押されたことを示す情報とは、第１釦１０ｂが押された場合は第１釦１０ｂが押されたことを示す情報であって、第１釦１０ｂが押されたことを示す情報は快適であることを示す情報と紐付けられている。
【００４３】
ステップＳ１６で当該識別体１０の第１釦１０ｂが押されていない場合、統合制御装置９は、ステップＳ１９の動作を行う。ステップＳ１９では、統合制御装置９は、当該識別体１０の第２釦１０ｃが押されたか否かを判定する。
【００４４】
ステップＳ１９で当該識別体１０の第２釦１０ｃが押されていない場合、統合制御装置９は、ステップＳ１６の動作を行う。
【００４５】
ステップＳ１９で当該識別体１０の第２釦１０ｃが押された場合、識別体１０は識別情報と押されたことを示す情報を統合制御装置９に送信する。統合制御装置９は、ステップＳ２０の動作を行う。ステップＳ２０では、統合制御装置９は、当該識別情報と現状の温度の情報と不快であることを示す情報とを対応付けて記憶する。その後、統合制御装置９は、ステップＳ２１の動作を行う。なお、押されたことを示す情報とは、第２釦１０ｃが押された場合は第２釦１０ｃが押されたことを示す情報であって、第２釦１０ｃが押されたことを示す情報は不快であることを示す情報と紐付けられている。
【００４６】
ステップＳ１７及びステップＳ２０で説明した「現状の温度などの情報」とは、空調装置３に設定されている設定温度、現状の室温、湿度、外気温並びに第１釦１０ｂ又は第２釦１０ｃが押されたときの日時などの情報である。統合制御装置９は、「現状の温度などの情報」に基づいて各利用者が快適に過ごすことができる条件を機械学習する。機械学習により、統合制御装置９は、例えば、特定の時間帯、外気温度、季節において各利用者が快適に感じる環境（室温、湿度など）を算出することができる。
【００４７】
ステップＳ２１では、統合制御装置９は、当該識別情報に対応して蓄積された情報に基づいて最適温度の情報を空調制御装置７に送信する。この際、空調制御装置７は、当該情報に基づいて温度が当該最適温度となるように空調装置３を制御する。その後、統合制御装置９は、動作を終了する。
【００４８】
次に、図４を用いて、利用者が管理領域１から出る際の統合制御装置９の動作の例を説明する。
図４は実施の形態１における統合制御システムにおいて利用者が管理領域から出る際の統合制御装置の動作の例を説明するためのフローチャートである。
【００４９】
ステップＳ２１では、識別体１０が管理領域１の内側において入退室管理用アンテナ５の受信領域に入ると、統合制御装置９は、当該識別体１０の認証を開始する。その後、統合制御装置９は、ステップＳ２２の動作を行う。ステップＳ２２では、統合制御装置９は、当該識別体１０が扉２の通行権限を有しているか否かを判定する。
【００５０】
ステップＳ２２で当該識別体１０が扉２の通行権限を有していない場合、統合制御装置９は、ステップＳ２３の動作を行う。ステップＳ２３では、統合制御装置９は、当該識別体１０を認証しない。この場合、統合制御装置９は、扉２の施錠を維持する。その後、統合制御装置９は、動作を終了する。
【００５１】
ステップＳ２２で当該識別体１０が扉２の通行権限を有している場合、統合制御装置９は、ステップＳ２４の動作を行う。ステップＳ２４では、統合制御装置９は、当該識別体１０を認証する。この場合、統合制御装置９は、扉２を解錠する。その後、統合制御装置９は、ステップＳ２５の動作を行う。
【００５２】
ステップＳ２５では、統合制御装置９は、当該識別体１０が管理領域１の内部に存在しないと判定する。その後、統合制御装置９は、動作を終了する。
【００５３】
以上で説明した実施の形態１によれば、空調装置３の設定は、設備制御用アンテナ６が管理領域１の内部に存在すると判定された識別体１０から識別情報と釦が押されたことを示す情報とが対応付けられた情報を受信した場合に当該識別情報と押されたことを示す情報とに基づいて変更される。このため、個人の好みに応じて、空調装置３の設定を容易に変更することができる。
【００５４】
また、空調装置３の設定は、設備制御用アンテナ６が管理領域１の内部に存在すると判定された識別体１０から識別情報と釦が押されたことを示す情報とが対応付けられた情報を受信した場合に当該識別情報に対応付けられた最適設定に変更される。このため、空調装置３の設定を個人に合わせた設定に容易に変更することができる。
【００５５】
なお、照明装置４の制御も、空調装置３と同様の制御とすればよい。この場合、個人の好みに応じて、照明装置４の設定を容易に変更することができる。
【００５６】
次に、図５を用いて、統合制御装置９の要部の例を説明する。
図５は実施の形態１における統合制御システムの統合制御装置の要部のハードウェア構成図である。
【００５７】
統合制御装置９の要部の各機能は、処理回路により実現し得る。例えば、処理回路は、少なくとも１つのプロセッサ１１ａと少なくとも１つのメモリ１１ｂとを備える。例えば、処理回路は、少なくとも１つの専用のハードウェア１２を備える。
【００５８】
処理回路が少なくとも１つのプロセッサ１１ａと少なくとも１つのメモリ１１ｂとを備える場合、統合制御装置９の要部の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ１１ｂに格納される。少なくとも１つのプロセッサ１１ａは、少なくとも１つのメモリ１１ｂに記憶されたプログラムを読み出して実行することにより、統合制御装置９の要部の各機能を実現する。少なくとも１つのプロセッサ１１ａは、中央処理装置、処理装置、演算装置、マイクロプロセッサ、マイクロコンピュータ、ＤＳＰともいう。例えば、少なくとも１つのメモリ１１ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００５９】
処理回路が少なくとも１つの専用のハードウェア１２を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、統合制御装置９の要部の各機能は、それぞれ処理回路で実現される。例えば、統合制御装置９の要部の各機能は、まとめて処理回路で実現される。
【００６０】
統合制御装置９の要部の各機能について、一部を専用のハードウェア１２で実現し、他部をソフトウェアまたはファームウェアで実現してもよい。例えば、制御部９ｂの機能については専用のハードウェア１２としての処理回路で実現し、制御部９ｂの機能以外の機能については少なくとも１つのプロセッサ１１ａが少なくとも１つのメモリ１１ｂに格納されたプログラムを読み出して実行することにより実現してもよい。
【００６１】
このように、処理回路は、ハードウェア１２、ソフトウェア、ファームウェア、またはこれらの組み合わせで統合制御装置９の要部の各機能を実現する。
【００６２】
図示されないが、空調制御装置７の要部も、統合制御装置９の要部の各機能を実現する処理回路と同等の処理回路で実現される。照明制御装置８の要部も、統合制御装置９の要部の各機能を実現する処理回路と同等の処理回路で実現される。
【００６３】
実施の形態２．
図６ａは実施の形態２における統合制御システムが適用される建築物の要部の構成図である。図６ｂは実施の形態２における統合制御システムの構成図である。なお、実施の形態１の部分と同一又は相当部分には同一符号が付される。当該部分の説明は省略される。
【００６４】
実施の形態２において、入退室管理用アンテナ５は、設けられない。入室管理用アンテナ１３は、管理領域１の出入口において管理領域１の外側に設けられる。入室管理用アンテナ１３は、入退室管理用アンテナ５と同様に、識別体１０から電波を受信し得るように設けられる。退室管理用アンテナ１４は、管理領域１の出入口において管理領域１の内側に設けられる。退室管理用アンテナ１４は、入退室管理用アンテナ５と同様に、識別体１０から電波を受信し得るように設けられる。
【００６５】
統合制御装置９は、入室管理用アンテナ１３が識別情報に対応した電波を受信した場合に当該識別情報に対応した識別体１０が管理領域１の内部に存在すると判定する。統合制御装置９は、退室管理用アンテナ１４が識別情報に対応した電波を受信した場合に当該識別情報に対応した識別体１０が管理領域１の内部に存在しないと判定する。統合制御装置９は、設備制御用アンテナ６が管理領域１の内部に存在すると判定された識別体１０から識別情報と第１釦１０ｂまたは第２釦１０ｃが押されたことを示す情報とが対応付けられた情報に対応した電波を受信した場合に当該識別情報と押されたことを示す情報とに基づいて管理領域１の内部に設けられた設備を制御する。
【００６６】
次に、図７を用いて、利用者が管理領域１の内部にいる際の統合制御装置９の動作の例を説明する。
図７は実施の形態１における統合制御システムにおいて利用者が管理領域の内部にいる際の統合制御装置の動作の例を説明するためのフローチャートである。
【００６７】
ステップＳ３１では、統合制御装置９は、設備制御用アンテナ６が識別体１０から識別情報と第１釦１０ｂまたは第２釦１０ｃが押されたことを示す情報とが対応付けられた情報に対応した電波を受信しているか否かを判定する。
【００６８】
ステップＳ３１で設備制御用アンテナ６が識別体１０から識別情報と第１釦１０ｂまたは第２釦１０ｃが押されたことを示す情報とが対応付けられた情報に対応した電波を受信していない場合、統合制御装置９は、ステップＳ３２の動作を行う。
【００６９】
ステップＳ３２では、統合制御装置９は、退室管理用アンテナ１４が識別体１０から識別情報を受信しているか否かを判定する。ステップＳ３２で退室管理用アンテナ１４が識別体１０から識別情報を受信してない場合、統合制御装置９は、ステップＳ３１の動作を行う。ステップＳ３２で退室管理用アンテナ１４が識別体１０から識別情報を受信している場合、統合制御装置９は、ステップＳ３３の動作を行う。
【００７０】
ステップＳ３３では、統合制御装置９は、当該識別体１０が扉２の通行権限を有しているか否かを判定する。
【００７１】
ステップＳ３３で当該識別体１０が扉２の通行権限を有していない場合、統合制御装置９は、ステップＳ３４の動作を行う。ステップＳ３４では、統合制御装置９は、当該識別体１０を認証しない。この場合、統合制御装置９は、扉２の施錠を維持する。その後、統合制御装置９は、ステップＳ３１の動作を行う。
【００７２】
ステップＳ３３で当該識別体１０が扉２の通行権限を有している場合、統合制御装置９は、ステップＳ３５の動作を行う。ステップＳ３５では、統合制御装置９は、当該識別体１０を認証する。この場合、統合制御装置９は、扉２を解錠する。その後、統合制御装置９は、ステップＳ３１の動作を行う。
【００７３】
ステップＳ３１で設備制御用アンテナ６が識別体１０から識別情報と第１釦１０ｂまたは第２釦１０ｃが押されたことを示す情報とが対応付けられた情報に対応した電波を受信している場合、統合制御装置９は、ステップＳ３６の動作を行う。ステップＳ３６では、統合制御装置９は、退室管理用アンテナ１４が識別体１０から識別情報を受信しているか否かを判定する。
【００７４】
ステップＳ３６で退室管理用アンテナ１４が識別体１０から識別情報を受信してない場合、統合制御装置９は、ステップＳ３７の動作を行う。ステップＳ３７では、統合制御装置９は、当該識別情報と押されたことを示す情報とに基づいて空調装置３または照明装置４の設定を変更する。その後、統合制御装置９は、ステップＳ３１の動作を行う。
【００７５】
ステップＳ３６で退室管理用アンテナ１４が識別体１０から識別情報を受信している場合、統合制御装置９は、ステップＳ３８の動作を行う。ステップＳ３８では、統合制御装置９は、設備制御用アンテナ６により受信された電波の強度が退室管理用アンテナ１４により受信された電波の強度よりも強いか否かを判定する。
【００７６】
ステップＳ３８で設備制御用アンテナ６により受信された電波の強度が退室管理用アンテナ１４により受信された電波の強度よりも強くない場合、統合制御装置９は、ステップＳ３３の動作を行う。
【００７７】
ステップＳ３７で設備制御用アンテナ６により受信された電波の強度が退室管理用アンテナ１４により受信された電波の強度よりも強い場合、統合制御装置９は、ステップＳ３７の動作を行う。
【００７８】
以上で説明した実施の形態２によれば、入室の管理は、入室管理用アンテナ１３により受信された識別情報に基づいて行われる。退室の管理は、退室管理用アンテナ１４により受信された識別情報に基づいて行われる。このため、入退室の管理をより正確に行うことができる。
【００７９】
また、設備制御用アンテナ６と退室管理用アンテナ１４とが識別体１０から識別情報を受信している際、設備の設定は、設備制御用アンテナ６による識別情報の受信強度が退室管理用アンテナ１４による識別情報の受信強度よりも強いときに変更される。このため、利用者が退室する際に無用に設備の設定が変更されることを抑制できる。
【００８０】
以上で説明した実施の形態１及び実施の形態２のシステムによれば、統合制御装置は識別体１０から無線送信される情報に基づいて、空調装置３又は照明装置４だけでなく扉２の施錠および解錠を制御することができる。利用者は、壁に設置されている空調又は照明用のリモコンの設置場所まで行って設定を変更する操作をする必要がなく、手元の識別体１０を操作することにより空調装置３又は照明装置４の設定を変更することができる。さらに識別体１０が送信する信号により扉２の解錠も可能である。これら空調装置又は照明装置、扉を制御するための無線コントローラをそれぞれ準備するとコストがかかるが、本発明では識別体１０でこれらの装置を制御することができるので、低コストでシステムを提供することができる。
【００８１】
また、実施の形態１及び実施の形態２のシステムによれば、設備制御用アンテナ６は統合制御装置９に接続されているので、空調制御装置７及び照明制御装置８のぞれぞれに識別体１０からの信号を受信するための設備制御用アンテナを接続する必要がなく、据付作業が容易なシステムを提供することができる。
【産業上の利用可能性】
【００８２】
以上のように、この発明に係る統合制御システムは、設備の設定を変更するシステムに利用できる。
【符号の説明】
【００８３】
１  管理領域、  ２  扉、３  空調装置、  ４  照明装置、  ５  入退室管理用アンテナ、  ６  設備制御用アンテナ、  ７  空調制御装置、  ７ａ  制御部、  ８  照明制御装置、  ８ａ  制御部、  ９  統合制御装置、  ９ａ  記憶部、  ９ｂ  制御部、  １０  識別体、  １０ａ  電池、  １０ｂ  第１釦、  １０ｃ  第２釦、  １１ａ  プロセッサ、  １１ｂ  メモリ、  １２  ハードウェア、  １３  入室管理用アンテナ、  １４  退室管理用アンテナ
【図１ａ】
2019239513.tif 000003
【図１ｂ】
2019239513.tif 000004
【図２】
2019239513.tif 000005
【図３】
2019239513.tif 000006
【図４】
2019239513.tif 000007
【図５】
2019239513.tif 000008
【図６ａ】
2019239513.tif 000009
【図６ｂ】
2019239513.tif 000010
【図７】
2019239513.tif 000011
【国際調査報告】
2019239513.tif 000012
2019239513.tif 000013
2019239513.tif 000014